(57)【要約】【課題】塵芥を安全に、かつ、効率よく塵芥貯留槽に投入でき、塵芥投入に際して塵芥や悪臭の飛散を防止する。【解決手段】  塵芥貯留槽７の投入部７１を通して塵芥貯留槽７に塵芥を投入する塵芥投入装置１であって、該塵芥投入装置１は、塵芥貯留槽７の投入部７１に臨んで水平軸回りに回転自在に設けられ、投入手段６を介して内部に排出された塵芥を上方に搬送して投入部７１に投入する少なくとも１個の搬送部３４を備えた回転体３と、回転体３の周囲を覆うカバー４とからなり、カバー４に排気ダクト５を介して排気ファンが接続されている。このため、回転体３が回転すると、その内部に排出された塵芥は、搬送部３４に保持されて上方に搬送され、塵芥貯留槽７の投入部７１に臨む位置において、搬送部３４から投入部７１を経て塵芥貯留槽７に投入される。また、排気ファンを駆動すれば、カバー４の内部空気が吸引されて排気ダクト５から排出される。【選択図】  図１
2006016141.tif 000002
【特許請求の範囲】
【請求項１】
塵芥貯留槽の上部もしくは側面に設けられた投入部を通して塵芥貯留槽に塵芥を投入する塵芥投入装置であって、該塵芥投入装置は、塵芥貯留槽の投入部に臨んで水平軸回りに回転自在に設けられ、投入手段を介して内部に排出された塵芥を上方に搬送して投入部に投入する少なくとも１個の搬送部を備えた回転体と、回転体の周囲を覆うカバーとからなり、カバーに排気ダクトを介して排気ファンが接続されていることを特徴とする塵芥投入装置。
【請求項２】
前記カバーにフィルターを介して脱臭装置が設けられ、脱臭装置に排気ダクトが接続されていることを特徴とする請求項１記載の塵芥投入装置。
【請求項３】
塵芥貯留槽の上部もしくは側面に設けられた投入部を通して塵芥貯留槽に塵芥を投入する塵芥投入装置であって、該塵芥投入装置は、塵芥貯留槽の投入部に臨んで水平軸回りに回転自在に設けられ、投入手段を介して内部に排出された塵芥を上方に搬送して投入部に投入する少なくとも１個の搬送部を備えた回転体と、回転体の周囲を覆うカバーとからなり、カバーにフィルターを介して脱臭装置が設けられ、また、脱臭装置に排気ファンが接続されていることを特徴とする塵芥投入装置。
【発明の詳細な説明】
【技術分野】
【０００１】
本発明は、塵芥貯留槽の上部あるいは側部に設けられた投入部を通して塵芥貯留槽に塵芥を投入する塵芥投入装置に関する。
【背景技術】
【０００２】
従来、塵芥貯留槽に塵芥を投入する塵芥投入装置としては、例えば、特許文献１に示すゴミ容器反転装置が知られている。このゴミ容器反転装置は、移送したゴミ容器を装置本体に装着した後、ゴミ容器を昇降手段を利用してポストに沿って地上から上方に持ち上げ、ポスト上方において、ゴミ容器をその上部開口が塵芥貯留槽の投入部に対向するように、ガイドによって反転させることにより、ゴミ容器内の塵芥を投入部を通して塵芥貯留槽に投入するものである。
【特許文献１】特開平６−２１９５０３号公報
【発明の開示】
【発明が解決しようとする課題】
【０００３】
しかしながら、前述した従来の塵芥投入装置においては、ゴミ容器を上方まで持ち上げて反転させているため、装着が悪ければ、ゴミ容器の上方への搬送時に落下を招くおそれがあり、安全性の面で問題がある他、投入者の周辺に塵芥が飛散したり、塵芥貯留槽の投入部から漏出した悪臭が滞留し、投入者に不快感を与えるばかりでなく、外部環境の悪化を招くという問題があった。
【０００４】
本発明は、上記問題点に鑑みてなされたもので、ゴミ容器を使用することなく塵芥を安全に、かつ、効率よく塵芥貯留槽に投入することができるとともに、塵芥の投入に際して塵芥や悪臭の飛散を防止することができる塵芥投入装置を提供するものである。
【課題を解決するための手段】
【０００５】
本発明は、塵芥貯留槽の上部もしくは側面に設けられた投入部を通して塵芥貯留槽に塵芥を投入する塵芥投入装置であって、該塵芥投入装置は、塵芥貯留槽の投入部に臨んで水平軸回りに回転自在に設けられ、投入手段を介して内部に排出された塵芥を上方に搬送して投入部に投入する少なくとも１個の搬送部を備えた回転体と、回転体の周囲を覆うカバーとからなり、カバーに排気ダクトを介して排気ファンが接続されていることを特徴とするものである。
【０００６】
本発明によれば、投入手段を介して回転体の内部に排出された塵芥は、回転体が回転することにより搬送部に保持されて上方に搬送され、搬送部が塵芥貯留槽の投入部に臨む位置において、塵芥を搬送部から投入部を通して塵芥貯留槽に投入することができる。また、排気ファンを駆動することにより、カバーの内部空気を吸引して排気ダクトを通して排出することができる。
【０００７】
この結果、ゴミ容器を使用することに伴う事故などがなくなり、安全に投入することができるとともに、回転体への塵芥の排出を常時行うことができるため、塵芥の投入に際して待機時間が発生せず、塵芥を効率よく塵芥貯留槽に投入することができる。また、投入手段を介して回転体の内部に排出された塵芥が外部に飛散することがない他、投入部を経て漏出する塵芥貯留槽の塵芥の悪臭を含むカバー内の悪臭がその周辺の悪臭とともに吸引されるため、投入に際して悪臭による不快感を覚えることもない。
【０００８】
ここで、搬送部は、設定角度範囲をおいて複数個設けることが好ましいが、回転体の大きさによっては１個であってもかまわない。
【０００９】
また、搬送部としては、回転体の構造に合わせて１枚の搬送板で形成しても、複数枚の搬送板で形成してもよい。
【００１０】
さらに、カバーに対する排気ダクトの接続位置としては、投入手段の付近に悪臭が流れ込まないように上部が好ましい。
【００１１】
本発明において、前記カバーにフィルターを介して脱臭装置が設けられ、脱臭装置に排気ダクトが接続されていると、投入部を経て漏出する塵芥貯留槽の塵芥の悪臭を含むカバー内の悪臭がその周辺の悪臭とともに吸引されて脱臭される。したがって、悪臭を分解して排出することができ、排出先の環境を悪化させることがない。この際、紙ゴミやビニル袋などは、フィルターによって除去される。
【００１２】
ここで、脱臭装置としては、活性炭を利用したもの、光触媒を利用したもの、オゾンを利用したものなどを挙げることができるが、これらに限定するものではない。また、カバーに対する脱臭装置の設置位置も、回転体の回転に影響のない場所であればよく、特に限定されない。例えば、脱臭装置を後付けする場合は、カバーの任意の位置に設けることができ、また、予め脱臭装置を設ける場合は、カバーと回転体とのデッドスペースを利用して配置すればよい。
【００１３】
また、フィルターとしては、パンチングメタルや、目の粗い金網などを採用することができる。
【００１４】
本発明は、塵芥貯留槽の上部もしくは側面に設けられた投入部を通して塵芥貯留槽に塵芥を投入する塵芥投入装置であって、該塵芥投入装置は、塵芥貯留槽の投入部に臨んで水平軸回りに回転自在に設けられ、投入手段を介して内部に排出された塵芥を上方に搬送して投入部に投入する少なくとも１個の搬送部を備えた回転体と、回転体の周囲を覆うカバーとからなり、カバーにフィルターを介して脱臭装置が設けられ、また、脱臭装置に排気ファンが接続されていることを特徴とするものである。
【００１５】
本発明によれば、投入手段を介して回転体の内部に排出された塵芥は、回転体が回転することにより搬送部に保持されて上方に搬送され、搬送部が塵芥貯留槽の投入部に臨む位置において、塵芥を搬送部から投入部を通して塵芥貯留槽に投入することができる。また、排気ファンを駆動することにより、カバーの内部空気を吸引し、脱臭装置で脱臭した後、排出することができる。この際、紙ゴミやビニル袋などは、フィルターによって除去される。
【００１６】
この結果、ゴミ容器を使用することに伴う事故などがなくなり、安全に投入することができるとともに、回転体への塵芥の排出を常時行うことができるため、塵芥の投入に際して待機時間が発生せず、塵芥を効率よく塵芥貯留槽に投入することができる。また、投入手段を介して回転体の内部に排出された塵芥が外部に飛散することがない他、投入部を経て漏出する塵芥貯留槽の塵芥の悪臭を含むカバー内の悪臭がその周辺の悪臭とともに吸引されて脱臭されるため、投入に際して悪臭による不快感を覚えることもない。
【００１７】
ここで、搬送部は、設定角度範囲をおいて複数個設けることが好ましいが、回転体の大きさによっては１個であってもかまわない。
【００１８】
また、搬送部としては、回転体の構造に合わせて１枚の搬送板で形成しても、複数枚の搬送板で形成してもよい。
【００１９】
さらに、脱臭装置としては、活性炭を利用したもの、光触媒を利用したもの、オゾンを利用したものなどを挙げることができるが、これらに限定するものではない。また、カバーに対する脱臭装置の設置位置も、回転体の回転に影響のない場所であればよく、特に限定されない。例えば、脱臭装置を後付けする場合は、カバーの任意の位置に設けることができ、また、予め脱臭装置を設ける場合は、カバーと回転体とのデッドスペースを利用して配設することが好ましい。
【００２０】
また、フィルターとしては、パンチングメタルや、目の粗い金網などを採用することができる。
【発明の効果】
【００２１】
本発明によれば、ゴミ容器を使用することなく塵芥を安全に、かつ、効率よく塵芥貯留槽に投入することができるとともに、塵芥の投入に際して塵芥や悪臭の飛散を防止することができる。
【発明を実施するための最良の形態】
【００２２】
以下、本発明の実施の形態について図面を参照して説明する。
【００２３】
図１乃至図３には、本発明の塵芥投入装置１の一実施形態が示されている。
【００２４】
この塵芥投入装置１は、壁体Ｗ（図２および図３参照）によって区画された塵芥貯留槽７の設置空間において、塵芥貯留槽７の上部に設けられた投入部としての投入ホッパ７１に臨んで配置され、フレーム２に回転自在に支持された回転体３と、回転体３の周囲をほぼ全面にわたって覆うカバー４と、から構成されており、壁体Ｗの下部に設けられた後述する投入手段６を通して排出された塵芥を投入ホッパ７１を経て塵芥貯留槽７に投入するものである。
【００２５】
なお、塵芥貯留槽７は、水平軸回りに回転自在に設けられたドラムを主要な構成とし、塵芥投入装置１によって投入ホッパ７１を経て内部に投入された塵芥をドラムの回転により内部に設けたブレードによって投入ホッパ７１と反対側の排出口側に搬送することで圧縮しつつ貯留し、貯留した塵芥を排出口から適宜に排出するものである。
【００２６】
回転体３は、リング状の前壁３１および後壁３２と、前壁３１および後壁３２の外周縁に設けられた外周壁３３と、これらの前壁３１、後壁３２および外周壁３３によって区画された内周面側が開口された環状の空間に設定角度範囲をおいて設けられた複数個（実施例では４個）の搬送部３４と、からなり、内周面側開口を通して環状の空間に排出された塵芥を前壁３１、後壁３２、外周壁３３および搬送部３４によって区画された空間に収容し、保持することができる。
【００２７】
なお、回転体３は、フレーム２の下部に左右一対設けられた下部支持ローラ２１と、フレーム２の頂部に設けられた頂部支持ローラ２２とによりその中心軸を中心にして回転自在に支持されるとともに、これらのローラ２１，２２の近傍に設けられたスラストローラ２３により軸芯方向が支持されている。また、ローラ２１，２２によって支持された回転体３は、詳細には図示しないが、駆動モータ２４によりチェーンスプロケットや歯車などの伝達機構を介して図１において時計回りの方向に回転するように構成されている。
【００２８】
この場合、ローラ２１，２２として、鍔付きローラを採用すれば、当該鍔部分で軸芯方向を支持できることから、上記スラストローラ２３を省略することができる。
【００２９】
一方、各搬送部３４は、略平行四辺形状に形成された１枚の搬送板３４１であって、回転体３の回転方向に塵芥を保持して上方に搬送するとともに、投入ホッパ７１の開口部に臨む位置に回転した際に投入ホッパ７１に向けて塵芥を滑落させるように取り付けられている。具体的には、図１の、左側やや上方に位置する搬送板３４１Ａで示すように、回転体３が回転して搬送板３４１が回転体３の中心よりも所定の高さ上方にあり、かつ、その下部内方側隅角部が投入ホッパ７１の開口部上端縁に沿う位置にあるとき、搬送板３４１の下端縁が水平方向に沿って後壁３２の内面に固定されるとともに、後壁３２から前壁３１に向けて上方に傾斜して上端縁が水平方向に沿って前壁３１の内面に固定され、また、外周側端縁が後壁側端縁から前壁側端縁にかけて斜めに横切るように外周壁３３の内面に固定されている。そして、搬送板３４１の内周側端縁は、回転体３の前壁３１および後壁３２の内周縁を若干越えて内方に突出されている。
【００３０】
他の搬送板３４１についても、搬送板３４１Ａに示す位置において同一の姿勢となるように、回転体３の前壁３１、後壁３２および外周壁３３にわたって固定されている。
【００３１】
したがって、図１における搬送板３４１Ａの位置からさらに回転体３が回転すれば（図４参照）、当該搬送板３４１の後壁側下端縁は、その外方側隅角部が内方側隅角部よりも上方となるように傾斜を開始することから、回転体３の環状の空間において、搬送板３４１によって保持された塵芥は、前壁方向から後壁方向に向かって下方に傾斜するとともに、外周方向から内周方向に向かって下方に傾斜する搬送板３４１の表面に沿って滑落し、内方に突出された内周側端縁から投入ホッパ７１に投入される。
【００３２】
カバー４は、図２および図３に示すように、投入手段６を除いて回転体３の前方を覆う前面カバー４１、回転体３の左右各側方を覆う側面カバー４２、回転体の上方を覆う上面カバー４３、塵芥貯留槽７の投入ホッパ７１を除いて回転体３の後方を覆う後面カバー４４とから形成され、回転体３の周囲をほぼ全面にわたって包囲している。そして、カバー４の上面カバー４３には、開口部が形成されるとともに、開口部に連通して排気ダクト５が接続されている。
【００３３】
なお、排気ダクト５には、図示しない排気ファンが接続されており、その排気口は、塵芥貯留槽７が設置された空間以外の外部に開口されている。
【００３４】
また、上面カバー４３の開口部には、パンチングメタルなどのフィルター（図示せず）が設けられており、紙ゴミやビニル袋が排気ダクト５に吸引されることを防止している。
【００３５】
一方、回転体３の下部前方には投入手段６が設けられている。すなわち、投入手段６は、図３に示すように、壁体Ｗの下部に形成された開口部を覆って固定されるとともに、前面カバー４１の下部に形成された開口部の周縁に取り付けられた投入プレート６１と、投入プレート６１に形成された投入口６１ａに開閉自在に設けられた開閉蓋６２と、投入プレート６１の投入口６１ａから回転体３の環状の空間の上方に臨むように延設されたシュート６３と、からなり、回転体３の下部前方に対向して配置されている。このため、開閉蓋６２を開放することにより、塵芥を投入口６１ａ、シュート６３を通して回転体３の環状の空間に排出することができる。
【００３６】
次に、このように構成された塵芥投入装置１による塵芥貯留槽７への塵芥の投入作動について説明する。
【００３７】
まず、開閉蓋６２を開放した後、投入口６１ａを通して塵芥を投棄すれば、シュート６３を経て当該塵芥を回転体３の環状の空間に排出することができる。
【００３８】
このように塵芥を回転体３内に収容すると、駆動モータ２４を回転駆動させて回転体３を図１において時計回りの方向に回転させる。この回転体３の回転に伴って塵芥は搬送板３４１によって保持されながら上方に搬送され、搬送板３４１が上部付近に達して傾斜状態になると、当該搬送板３４１に保持されていた塵芥がその表面から滑落して投入ホッパ７１に投入され、塵芥貯留槽７に収容される。
【００３９】
このように投入手段６から投入した塵芥を回転体３に収容するとともに、当該回転体３を回転させることで、塵芥貯留槽５に投入することができる。
【００４０】
この場合、図示しない排気ファンは常時駆動しており、カバー４の内部空気をその周辺の空気とともに吸引している。このため、投入ホッパ７１を通して漏出する塵芥貯留槽７の塵芥の悪臭を含めて、カバー４内に滞留する悪臭は、その周辺の悪臭とともに吸引され、排気ダクト５を介して塵芥貯留装置７が設置された空間以外の外部空間に排出される。
【００４１】
この結果、塵芥貯留槽の投入ホッパ７１に臨んで配置した回転体３を利用して塵芥を投入ホッパ７１に投入することができるので、従来のようなゴミ容器の落下による部材の損傷や人身事故などがなく、高い安全性を確保することができるとともに、周辺への塵芥の飛散も防止できる。
【００４２】
また、投入手段６から回転体３内への塵芥の排出を常時行うことができるので、投入者は塵芥を投入する際に待機する必要がなく、塵芥を効率よく塵芥貯留槽７に投入することができるとともに、回転体３の下部に配置した投入手段６を通して塵芥を排出することから、投入者による塵芥投入位置を極力低くすることが可能となり、塵芥の投入が容易になるとともに、バリアフリーに対応することができる。
【００４３】
さらに、排気ファンによってカバー４内に滞留している悪臭を、投入ホッパ７１を経て漏出する塵芥貯留槽７の悪臭やカバー４の周辺の悪臭とともに吸引して、排気ダクト５を介して外部に排出することができ、投入手段６を介して塵芥を排出する際、悪臭による不快感を覚えることがない。
【００４４】
なお、前述した実施形態においては、カバー４の内部空気を排気ファンで吸引し、排気ダクト５を介して外部に排出する場合を例示したが、悪臭をそのまま外部に排出できない場合は、図５に示すように、カバー４の上隅角部を利用して活性炭などを利用した脱臭装置８を配設し、悪臭物質を脱臭装置８によって除去した後、外部に排出すればよい。この場合、紙ゴミやビニル袋などが脱臭装置８に吸引されることを防止するため、脱臭装置８の吸引側において、カバー４にパンチングメタルなどのフィルター９が設けられている。
【００４５】
また、排気ダクト５を用いることなく脱臭装置８に直接排気ファンを接続してもよい。すなわち、図６および図７に示すように、カバー４にフィルター９を介して脱臭装置８を設けるとともに、脱臭装置８に排気ファン１０を接続し、カバー４内の悪臭およびその周辺の悪臭を脱臭装置８によって脱臭した後、塵芥貯留槽７の設置室に排出してもよい。この場合、図７に示すように、脱臭装置８の大きさによっては、複数の吸引ファン１０を設けることもできる。
【００４６】
一方、脱臭装置８は、塵芥投入装置１を設置した後、後付けしてもよく、また、予め塵芥投入装置１に設けてもよい。
【００４７】
また、回転体３が回転しているときに塵芥を投入した場合には、その塵芥を投入した位置から回転体３を例えば一周させるようにすればよい。
【００４８】
回転体３の回転作動は、スイッチ操作によって行うようにしてもよく、また、開閉蓋６２の各開閉動作もしくは開閉蓋６２の設定回数の開閉動作に連動して行うようにしてもよい。この場合、リミットスイッチや近接センサなどの検出装置６４（図３参照）によって開閉蓋６２の開閉を検出すればよい。
【００４９】
また、回転体３の停止位置の位置決めは、例えば、駆動モータ２４の回転数を検出装置で検出することで行ってもよいし、リミットスイッチ、近接センサや光電センサなどの検出装置を用いて行うようにしてもよい。
【００５０】
さらに、塵芥投入装置１によって塵芥を投入する塵芥貯留槽５は、回転自在なドラムに限らず、塵芥投入装置１によって上部の投入部から投入された塵芥を内部に貯留するものであれば何でもよい。
【００５１】
ところで、前述した実施形態においては、回転体３として、リング状の前壁３１、後壁３２、円筒状の外周壁３３および搬送部３４としての１枚の搬送板３４１から構成した場合を説明したが、このような回転体３に限定するものではない。例えば、図８に示すように、円板状の前壁３５および後壁（図示省略）の内面にほぼ接して、該前壁３５および後壁に回転自在に軸支され、円筒状の外周壁３７と、搬送部３４としての２枚の搬送板３４２，３４３からなる回転体３Ａであってもよい。
【００５２】
すなわち、前壁３５の下部には投入口３５ａが形成される一方、後壁の上部には排出口３６ａが形成されており、それぞれ投入手段６のシュート６３および塵芥貯留槽７の投入ホッパ７１に対向されている。また、搬送部３４は、基端が中心軸に、先端が外周壁３７にそれぞれ固定された放射状に延びる第１搬送板３４２と、該第１搬送板３４２における回転体３Ａの回転方向側面に直交して設けられ、後壁の排出口３６ａに臨む位置において、後壁側から前壁側に向かって上方に傾斜するように、それぞれ前壁側一端が内周側に位置して前壁３５に、後壁側一端が外周側に位置して後壁にそれぞれ固定された第２搬送板３４３とから構成されている。
【００５３】
この場合、回転しない前壁３５および後壁、さらに、外周壁３７の外方にカバーを設けてもよく、また、前壁３５および後壁を外周壁３７より大きく形成し、その側方開口部および上方開口部を側面カバーおよび上面カバーで覆ってカバーとしてもよい。
【００５４】
このような回転体３Ａにおいても、回転体３Ａが前壁３５および後壁に軸支されて回転するとき、投入口３５ａを通して回転体３Ａ内に排出された塵芥は、２枚の搬送板３４２，３４３によって保持され、搬送板３４２，３４３が排出口３６ａに臨む位置まで回転した際に搬送板３４２，３４３に沿って滑落し、排出口３６ａを通して投入ホッパ７１に投入することができる。
【産業上の利用可能性】
【００５５】
本発明によれば、塵芥を安全に効率よく塵芥貯留槽に投入することができるとともに、塵芥の投入を低い位置から容易に、しかも、塵芥や悪臭の飛散を防止して行うことができることから、塵芥の投入作業を快適に行うことが可能となり、その有用性を高めることができる。
【図面の簡単な説明】
【００５６】
【図１】本発明の塵芥投入装置の一実施形態を一部省略して示す正面図である。
【図２】図１の塵芥投入装置を示す側面図である。
【図３】図１の塵芥投入装置を一部省略して示す縦断面図である。
【図４】図１の塵芥投入装置による塵芥投入動作を模式的に示す斜視図である。
【図５】本発明の塵芥投入装置の一実施形態の変形例を一部省略して示す正面図である。
【図６】本発明の塵芥投入装置の一実施形態の他の変形例を一部省略して示す正面図である。
【図７】本発明の塵芥投入装置の一実施形態のもう一つの変形例を一部省略して示す正面図である。
【図８】本発明の塵芥投入装置の他の実施形態を模式的に示す斜視図である。
【符号の説明】
【００５７】
１  塵芥投入装置
３，３Ａ  回転体
３１，３５  前壁
３２  後壁
３３，３７  外周壁
３４  搬送部
３４１  搬送板
３４２  第１搬送板
３４３  第２搬送板
４  カバー
５  排気ダクト
６  投入手段
７  塵芥貯留槽
７１  投入ホッパ（投入部）
８  脱臭装置
９  フィルター
１０  排気ファン
【図１】
2006016141.tif 000003
【図２】
2006016141.tif 000004
【図３】
2006016141.tif 000005
【図４】
2006016141.tif 000006
【図５】
2006016141.tif 000007
【図６】
2006016141.tif 000008
【図７】
2006016141.tif 000009
【図８】
2006016141.tif 000010